(57)【要約】【課題】  受信処理の最適化や伝送効率の改善等を図ることを可能とする送信装置、受信装置、デジタル放送システム及びチップを提供する。【解決手段】  送信装置１０は、固定長を有する誤り訂正符号ブロックを生成する誤り訂正符号化部１２と、誤り訂正符号ブロックによって構成されるデータフレームを生成するフレーム化部１３と、データフレーム及び伝送制御信号を含む伝送フレームを送信するＭＩＭＯ−ＯＦＤＭ変調部１５とを備える。誤り訂正符号ブロックのペイロードには、複数のストリームのいずれかに属するパケットとして、固定長のパケット又は可変長のパケットが含まれており、誤り訂正符号ブロックのヘッダには、パケットの種類を識別する情報及びパケットが属するストリームを識別する情報が含まれる。【選択図】図１
2015080029.tif 000002
【特許請求の範囲】
【請求項１】
固定長を有する誤り訂正符号ブロックを生成するブロック生成部と、
前記誤り訂正符号ブロックによって構成されるデータフレームを生成するフレーム生成部と、
前記データフレーム及び伝送制御信号を含む伝送フレームを送信する送信部とを備え、
前記誤り訂正符号ブロックのペイロードには、複数のストリームのいずれかに属するパケットとして、固定長のパケット又は可変長のパケットが含まれており、
前記誤り訂正符号ブロックのヘッダには、前記パケットの種類を識別する情報及び前記パケットが属するストリームを識別する情報が含まれることを特徴とする送信装置。
【請求項２】
固定長を有する誤り訂正符号ブロックを生成するブロック生成部と、
前記誤り訂正符号ブロックによって構成されるデータフレームを生成するフレーム生成部と、
前記データフレーム及び伝送制御信号を含む伝送フレームを送信する送信部とを備え、
前記誤り訂正符号ブロックのペイロードには、複数のストリームのいずれかに属するパケットが含まれており、
前記伝送制御信号は、前記複数のストリームのそれぞれが属する階層を識別する情報を含むことを特徴とする送信装置。
【請求項３】
固定長を有する誤り訂正符号ブロックを生成するブロック生成部と、
前記誤り訂正符号ブロックによって構成されるデータフレームを生成するフレーム生成部と、
前記データフレーム及び伝送制御信号を含む伝送フレームを送信する送信部とを備え、
複数の誤り訂正符号ブロックは、論理フレームを構成しており、
前記誤り訂正符号ブロックのヘッダには、前記論理フレームを構成する誤り訂正符号ブロックの最大数を識別する情報及び前記論理フレームにおける当該誤り訂正符号ブロックの順序を識別する情報が含まれることを特徴とする送信装置。
【請求項４】
固定長を有する誤り訂正符号ブロックを生成するブロック生成部と、
前記誤り訂正符号ブロックによって構成されるデータフレームを生成するフレーム生成部と、
前記データフレーム及び伝送制御信号を含む伝送フレームを送信する送信部とを備え、
前記誤り訂正符号ブロックのペイロードには、複数のストリームのいずれかに属するパケットが含まれており、
前記誤り訂正符号ブロックのヘッダには、前記誤り訂正符号ブロックの先頭に含まれるパケットの先頭位置を示すポインタが含まれており、
前記ポインタは、前記パケットの先頭位置が前記誤り訂正符号ブロックのペイロードに含まれていない場合に、前記パケットの先頭位置ではなくて、他の情報の伝達に用いられることを特徴とする送信装置。
【請求項５】
前記ポインタは、前記パケットの先頭位置が前記誤り訂正符号ブロックのペイロードに含まれていない場合に、前記誤り訂正符号ブロックのペイロードの次位位置を示すことを特徴とする請求項４に記載の送信装置。
【請求項６】
前記ポインタは、前記パケットの先頭位置が前記誤り訂正符号ブロックのペイロードに含まれていない場合に、他の誤り訂正符号ブロックに設けられる前記パケットの次位位置を示すことを特徴とする請求項４に記載の送信装置。
【請求項７】
前記誤り訂正符号ブロックのヘッダには、前記パケットの先頭位置が前記誤り訂正符号ブロックのペイロードに含まれているか否かを示すフラグが含まれており、
前記ポインタは、前記パケットの先頭位置が前記誤り訂正符号ブロックのペイロードに含まれていない場合に、前記誤り訂正符号ブロックのペイロードとして用いられることを特徴とする請求項４に記載の送信装置。
【請求項８】
請求項１乃至請求項４のいずれかに記載の送信装置から、固定長を有する誤り訂正符号ブロックによって構成されるデータフレーム及び伝送制御信号を含む伝送フレームを受信する受信部と、
前記データフレームから前記誤り訂正符号ブロックを抽出する抽出部とを備えることを特徴とする受信装置。
【請求項９】
受信装置に搭載されるチップであって、
請求項１乃至請求項４のいずれかに記載の送信装置から、固定長を有する誤り訂正符号ブロックによって構成されるデータフレーム及び伝送制御信号を含む伝送フレームを受信する受信部と、
前記データフレームから前記誤り訂正符号ブロックを抽出する抽出部とを備えることを特徴とするチップ。
【請求項１０】
請求項１乃至請求項４のいずれかに記載の送信装置及び受信装置を備えるデジタル放送システム。
【発明の詳細な説明】
【技術分野】
【０００１】
本発明は、送信装置、受信装置、デジタル放送システム及びチップに関する。
【背景技術】
【０００２】
日本における地上デジタル放送方式であるＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ  -  Ｔｅｒｒｅｓｔｒｉａｌ）方式では、送信装置は、データフレーム及び制御信号（ＴＭＣＣ信号やＡＣ信号）によって構成される伝送フレーム（ＯＦＤＭフレーム）毎に、映像・音声等のデータを送信する。制御信号は、伝送フレーム毎に伝送フレームに挿入される。また、受信装置は、伝送フレームの同期をとることによって、映像・音声等のデータを受信する（例えば、非特許文献１）。
【先行技術文献】
【非特許文献】
【０００３】
【非特許文献１】「地上デジタルテレビジョン放送の伝送方式  標準規格」  ＡＲＩＢ  ＳＴＤ−Ｂ３１
【発明の概要】
【発明が解決しようとする課題】
【０００４】
ところで、次世代地上放送方式では、誤り訂正符号がデータに付与された誤り訂正符号ブロック（以下、ＦＥＣブロック）をデータフレームに挿入することが検討されている。ＦＥＣブロックのペイロードには、固定長のパケット（例えば、ＴＳ（Ｔｒａｎｓｐｏｒｔ  Ｓｔｒｅａｍ）を構成するパケット）及び可変長のパケット（例えば、ＴＬＶ（Ｔｙｐｅ  Ｌｅｎｇｔｈ  Ｖａｌｕｅ）ストリームを構成するパケット）のいずれか一方が挿入される。また、固定長のパケット及び可変長のパケットは、複数のストリームのいずれかに属している。
【０００５】
このような背景下において、次世代地上放送方式では、受信処理の最適化や伝送効率の改善などが求められている。
【０００６】
そこで、本発明は、上述した課題を解決するためになされたものであり、受信処理の最適化や伝送効率の改善等を図ることを可能とする送信装置、受信装置、デジタル放送システム及びチップを提供することを目的とする。
【課題を解決するための手段】
【０００７】
第１の特徴は、固定長を有する誤り訂正符号ブロックを生成するブロック生成部と、前記誤り訂正符号ブロックによって構成されるデータフレームを生成するフレーム生成部と、前記データフレーム及び伝送制御信号を含む伝送フレームを送信する送信部とを備えた送信装置であって、前記誤り訂正符号ブロックのペイロードには、複数のストリームのいずれかに属するパケットとして、固定長のパケット又は可変長のパケットが含まれており、前記誤り訂正符号ブロックのヘッダには、前記パケットの種類を識別する情報及び前記パケットが属するストリームを識別する情報が含まれることを要旨とする。
【０００８】
第２の特徴は、固定長を有する誤り訂正符号ブロックを生成するブロック生成部と、前記誤り訂正符号ブロックによって構成されるデータフレームを生成するフレーム生成部と、前記データフレーム及び伝送制御信号を含む伝送フレームを送信する送信部とを備えた送信装置であって、前記誤り訂正符号ブロックのペイロードには、複数のストリームのいずれかに属するパケットが含まれており、前記伝送制御信号は、前記複数のストリームのそれぞれが属する階層を識別する情報を含むことを要旨とする。
【０００９】
第３の特徴は、固定長を有する誤り訂正符号ブロックを生成するブロック生成部と、前記誤り訂正符号ブロックによって構成されるデータフレームを生成するフレーム生成部と、前記データフレーム及び伝送制御信号を含む伝送フレームを送信する送信部とを備えた送信装置であって、複数の誤り訂正符号ブロックは、論理フレームを構成しており、前記誤り訂正符号ブロックのヘッダには、前記論理フレームを構成する誤り訂正符号ブロックの最大数を識別する情報及び前記論理フレームにおける当該誤り訂正符号ブロックの順序を識別する情報が含まれることを要旨とする。
【００１０】
第４の特徴は、固定長を有する誤り訂正符号ブロックを生成するブロック生成部と、前記誤り訂正符号ブロックによって構成されるデータフレームを生成するフレーム生成部と、前記データフレーム及び伝送制御信号を含む伝送フレームを送信する送信部とを備えた送信装置であって、前記誤り訂正符号ブロックのペイロードには、複数のストリームのいずれかに属するパケットが含まれており、前記誤り訂正符号ブロックのヘッダには、前記誤り訂正符号ブロックにおいて最初に始まるパケットの先頭位置を示すポインタが含まれており、前記ポインタは、前記パケットの先頭位置が前記誤り訂正符号ブロックのペイロードに含まれていない場合に、前記パケットの先頭位置ではなくて、他の情報の伝達に用いられることを要旨とする。
【００１１】
第５の特徴は、受信装置であって、第１の特徴乃至第４の特徴のいずれかの送信装置から、固定長を有する誤り訂正符号ブロックによって構成されるデータフレーム及び伝送制御信号を含む伝送フレームを受信する受信部と、前記データフレームから前記誤り訂正符号ブロックを抽出する抽出部とを備えることを要旨とする。
【００１２】
第６の特徴は、受信装置に搭載されるチップであって、第１の特徴乃至第４の特徴のいずれかの送信装置から、固定長を有する誤り訂正符号ブロックによって構成されるデータフレーム及び伝送制御信号を含む伝送フレームを受信する受信部と、前記データフレームから前記誤り訂正符号ブロックを抽出する抽出部とを備えることを要旨とする。
【００１３】
第７の特徴は、デジタル放送システムであって、第１の特徴乃至第４の特徴のいずれかの送信装置及び受信装置を備えることを要旨とする。
【発明の効果】
【００１４】
本発明によれば、受信処理の最適化や伝送効率の改善等を図ることを可能とする送信装置、受信装置、デジタル放送システム及びチップを提供することができる。
【図面の簡単な説明】
【００１５】
【図１】図１は、第１実施形態に係る送信装置１０を示すブロック図である。
【図２】図２は、第１実施形態に係る送信装置１０を示すブロック図である。
【図３】図３は、第１実施形態に係る受信装置２０を示すブロック図である。
【図４】図４は、第１実施形態に係るフレーム構造の一例を示す図である。
【図５】図５は、第１実施形態に係る受信方法の一例を示す図である。
【図６】図６は、第１実施形態に係る誤り訂正符号ブロックの一例を示す図である。
【図７】図７は、第２実施形態に係る伝送制御信号（ＴＭＣＣ信号）の一例を示す図である。
【図８】図８は、第３実施形態に係る誤り訂正符号ブロックの一例を示す図である。
【図９】図９は、第４実施形態に係る適用例１を説明するための図である。
【図１０】図１０は、第４実施形態に係る適用例２を説明するための図である。
【図１１】図１１は、第４実施形態に係る適用例３を説明するための図である。
【発明を実施するための形態】
【００１６】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００１７】
したがって、具体的な寸法などは以下の説明を参酌して判断すべきものである。また、図面相互間においても互いの寸法の関係や比率が異なる部分が含まれていることは勿論である。
【００１８】
［実施形態の概要］
実施形態に係る送信装置は、固定長を有する誤り訂正符号ブロックを生成するブロック生成部と、前記誤り訂正符号ブロックによって構成されるデータフレームを生成するフレーム生成部と、前記データフレーム及び伝送制御信号を含む伝送フレームを送信する送信部とを備える。
【００１９】
第１に、前記誤り訂正符号ブロックのペイロードには、複数のストリームのいずれかに属するパケットとして、固定長のパケット又は可変長のパケットが含まれており、前記誤り訂正符号ブロックのヘッダには、前記パケットの種類を識別する情報及び前記パケットが属するストリームを識別する情報が含まれる。
【００２０】
実施形態では、誤り訂正符号ブロックのヘッダには、パケットの種類を識別する情報及びパケットが属するストリームを識別する情報が含まれる。従って、受信装置は、誤り訂正符号ブロックのヘッダを参照することによって、所望のストリームに属する所望のパケットを含む誤り訂正符号ブロックを抽出して、抽出された誤り訂正符号ブロックのみを復号すればよい。これによって、受信装置の処理負荷等が軽減される。
【００２１】
第２に、前記誤り訂正符号ブロックのペイロードには、複数のストリームのいずれかに属するパケットが含まれており、前記伝送制御信号は、前記複数のストリームのそれぞれが属する階層を識別する情報を含む。
【００２２】
実施形態では、伝送制御信号（ＴＭＣＣ信号）は、複数のストリームのそれぞれが属する階層を識別する情報を含む。従って、受信装置は、伝送制御信号を参照することによって、所望のストリームが属する階層化データのみを復号すればよい。これによって、受信装置の処理負荷等が軽減される。
【００２３】
第３に、複数の誤り訂正符号ブロックは、論理フレームを構成しており、前記誤り訂正符号ブロックのヘッダには、前記論理フレームを構成する誤り訂正符号ブロックの最大数を識別する情報及び前記論理フレームにおける当該誤り訂正符号ブロックの順序を識別する情報が含まれる。
【００２４】
実施形態では、誤り訂正符号ブロックのヘッダは、論理フレームを構成する誤り訂正符号ブロックの最大数を識別する情報（最大ブロック数）及び論理フレームにおける当該誤り訂正符号ブロックの順序を識別する情報（ブロック番号）を含む。これによって、複数の誤り訂正符号ブロックによって論理フレームを構成することができる。
【００２５】
第４に、前記誤り訂正符号ブロックのペイロードには、複数のストリームのいずれかに属するパケットが含まれており、前記誤り訂正符号ブロックにおいて最初に始まるパケットの先頭位置を示すポインタが含まれており、前記ポインタは、前記パケットの先頭位置が前記誤り訂正符号ブロックのペイロードに含まれていない場合に、前記パケットの先頭位置ではなくて、他の情報の伝達に用いられる。
【００２６】
実施形態では、誤り訂正符号ブロックの先頭に含まれるパケットの先頭位置を示すポインタは、誤り訂正符号ブロックにおいて最初に始まるパケットの先頭位置が誤り訂正符号ブロックのペイロードに含まれていない場合に、パケットの先頭位置ではなくて、他の情報の伝達に用いられる。これによって、受信処理の最適化や伝送効率の改善等を図ることができる。
【００２７】
［第１実施形態］
（デジタル放送システム）
以下において、第１実施形態に係るデジタル放送システムについて説明する。図１及び図２は、第１実施形態に係る送信装置１０を示すブロック図であり、図３は、第１実施形態に係る受信装置２０を示すブロック図である。デジタル放送システムは、送信装置１０及び受信装置２０を備える。
【００２８】
実施形態において、デジタル放送システムは、次世代地上放送方式に対応するデジタル放送システムである。例えば、デジタル放送システムでは、ＭＩＭＯ（Ｍｕｌｔｉｐｌｅ  Ｉｎｐｕｔ  Ｍｕｌｔｉｐｌｅ  Ｏｕｔｐｕｔ）技術、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）技術が適用される。デジタル放送システムでは、送信装置１０から受信装置２０に対して、複数の階層に属する階層化データ（例えば、１セグメント、１３セグメント）が送信される。第１実施形態では、階層化データとして、Ａ階層データ、Ｂ階層データ、Ｃ階層データが送信されるケースについて例示する。
【００２９】
図１に示すように、送信装置１０は、入力インタフェース１１と、誤り訂正符号化部１２と、フレーム化部１３と、制御信号生成部１４と、ＭＩＭＯ−ＯＦＤＭ変調部１５とを備える。送信装置１０は、例えば、放送局等に設けられる。
【００３０】
入力インタフェース１１は、映像データ及び音声データ等のデータを入力する。第１実施形態では、入力インタフェース１１は、階層化データとして、Ａ階層データ、Ｂ階層データ、Ｃ階層データを入力する。詳細には、入力インタフェース１１は、図２に示すように、機能ブロック１１Ａと、機能ブロック１１Ｂと、機能ブロック１１Ｃとを含む。機能ブロック１１Ａは、複数のＩＰストリームのそれぞれに基づいて、複数のＴＬＶ（Ｔｙｐｅ  Ｌｅｎｇｔｈ  Ｖａｌｕｅ）ストリーム（図２では、ＴＬＶ１〜ＴＬＶｍ）を生成する。機能ブロック１１Ｂは、複数のＴＳ；Ｔｒａｎｓｐｏｒｔ  Ｓｔｒｅａｍ（図２では、ＴＳ１〜ＴＳｎ）に基づいて、各ＴＳに対応する固定長のパケット（以下、ＴＳパケット）を生成する。さらに、１つ又は複数のＴＳパケットで誤り訂正符号ブロックのペイロードを構成するとともに、ヘッダを付加してまとめる。機能ブロック１１Ｂは、複数のＴＬＶストリーム（図２では、ＴＬＶ１〜ＴＬＶｍ）に基づいて、ＴＬＶストリームに対応する可変長のパケット（以下、ＴＬＶパケット）を出力する。さらに、１つ又は複数のＴＬＶパケットで誤り訂正符号ブロックのペイロードを構成するとともに、ヘッダを付加してまとめる。機能ブロック１１Ｃは、機能ブロック１１Ｂから入力されるＴＳパケット及びＴＬＶパケットの集合体を、複数の階層化データに分類する。第１実施形態では、上述したように、複数の階層化データは、Ａ階層データ、Ｂ階層データ、Ｃ階層データを含む。
【００３１】
誤り訂正符号化部１２は、固定長を有する誤り訂正符号ブロックを生成するブロック生成部を構成する。具体的には、誤り訂正符号化部１２は、機能ブロック１１Ｂで生成されたＴＳパケット或いはＴＬＶパケットの集合体に対して、パリティを付加して誤り訂正符号ブロックを生成する。
【００３２】
第１実施形態では、複数の階層化データは、Ａ階層データ、Ｂ階層データ、Ｃ階層データを含む。従って、送信装置１０は、Ａ階層データの誤り訂正符号ブロックを生成する誤り訂正符号化部１２Ａと、Ｂ階層データの誤り訂正符号ブロックを生成する誤り訂正符号化部１２Ｂと、Ｃ階層データの誤り訂正符号ブロックを生成する誤り訂正符号化部１２Ｃとを備える。
【００３３】
フレーム化部１３は、誤り訂正符号ブロックによって構成されるデータフレームを生成するフレーム生成部を構成する。第１実施形態では、フレーム化部１３は、データフレームの先頭位置に対するデータフレームの先頭に含まれる誤り訂正符号ブロックの先頭位置のオフセットを示すポインタをデータフレームのヘッダに挿入してもよい。オフセットは、データフレームの先頭位置からデータフレームの先頭に含まれる誤り訂正符号ブロックの先頭位置までのビット数を示す値である。
【００３４】
このように、上述したポインタがデータフレームのヘッダに挿入されるため、誤り訂正符号ブロックは、複数のデータフレーム（伝送フレーム）に跨がって配置されてもよい。すなわち、データフレーム（伝送フレーム）の先頭に含まれる誤り訂正符号ブロックの先頭位置がデータフレーム（伝送フレーム）の先頭位置と一致していなくてもよい。
【００３５】
第１実施形態では、複数の階層化データは、Ａ階層データ、Ｂ階層データ、Ｃ階層データを含む。従って、送信装置１０は、Ａ階層データの誤り訂正符号ブロックを生成するフレーム化部１３Ａと、Ｂ階層データの誤り訂正符号ブロックを生成するフレーム化部１３Ｂと、Ｃ階層データの誤り訂正符号ブロックを生成するフレーム化部１３Ｃとを備える。
【００３６】
制御信号生成部１４は、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号、ＡＣ（Ａｕｘｉｌｉａｒｙ  Ｃｈａｎｎｅｌ）信号等の制御信号を生成する。例えば、ＴＭＣＣ信号（伝送制御信号）は、複数の階層のそれぞれの伝送パラメータ（変調方式、セグメント数、符号化率等）を示す信号、ＯＦＤＭフレーム（伝送フレーム）の同期をとるための同期信号を含む。
【００３７】
ＭＩＭＯ−ＯＦＤＭ変調部１５は、フレーム化部１３から出力されるデータフレーム及び制御信号生成部１４から出力される制御信号によって構成されるＯＦＤＭフレーム（伝送フレーム）を生成する。ＯＦＤＭフレーム（伝送フレーム）は、所定数のサブキャリア（周波数軸）及び所定数のシンボル数（時間軸）によって定義される。
【００３８】
続いて、ＭＩＭＯ−ＯＦＤＭ変調部１５は、ＯＦＤＭフレームを構成する各シンボルに対して、空間符号化処理を行って２系統の信号を生成して、２系統の信号に対してキャリア変調、ＩＦＦＴ処理及び直交変換を行って無線信号Ｔｘ１，Ｔｘ２を生成する。ＭＩＭＯ−ＯＦＤＭ変調部１５は、複数のアンテナを用いて、無線信号Ｔｘ１，Ｔｘ２を受信装置２０に送信する。すなわち、ＭＩＭＯ−ＯＦＤＭ変調部１５は、データフレーム及び伝送制御信号を含む伝送フレームを送信する送信部を構成する。なお、２系統の信号は、同一の信号であってもよいが、伝送効率の観点では、異なる信号であることが好ましい。
【００３９】
図３に示すように、受信装置２０は、周波数変換部２１と、直交復調部２２と、ＭＩＭＯ−ＯＦＤＭ復調部２３と、キャリア復調部２４と、制御信号復調部２５と、抽出部２６と、誤り訂正部２７とを備える。受信装置２０は、例えば、家庭内に固定的に設置される受像器、ユーザが持ち運び可能な移動端末に設けられる。
【００４０】
周波数変換部２１は、複数のアンテナを用いて、無線信号Ｒｘ１，Ｒｘ２を受信する。具体的には、周波数変換部２１は、周波数変換によって、無線信号Ｒｘ１，Ｒｘ２をベースバンド信号に変換してＡＤ変換などによってデジタル化する。
【００４１】
第１実施形態では、複数のアンテナによって無線信号Ｒｘ１，Ｒｘ２を受信するため、受信装置２０は、無線信号Ｒｘ１を処理する周波数変換部２１Ａと、無線信号Ｒｘ２を処理する周波数変換部２１Ｂとを備える。
【００４２】
直交復調部２２は、周波数変換部２１によって変換された周波数成分の直交復調を行う。
【００４３】
第１実施形態では、複数のアンテナによって無線信号Ｒｘ１，Ｒｘ２を受信するため、受信装置２０は、無線信号Ｒｘ１に対応する信号を処理する周波数変換部２１Ａと、無線信号Ｒｘ２に対応する信号を処理する周波数変換部２１Ｂとを備える。
【００４４】
ＭＩＭＯ−ＯＦＤＭ復調部２３は、周波数変換部２１Ａ及び周波数変換部２１Ｂから出力される２系統の信号に対してＦＦＴ処理およびＭＩＭＯ復号処理を行って、所定数のサブキャリア（周波数軸）及び所定数のシンボル数（時間軸）によって定義されるＯＦＤＭフレーム（伝送フレーム）を取得する。ＯＦＤＭフレーム（伝送フレーム）の同期は、上述したＴＭＣＣ信号によって行われる。
【００４５】
キャリア復調部２４は、ＯＦＤＭフレーム（伝送フレーム）のうち、データフレームを構成するシンボルのキャリア復調を行う。
【００４６】
制御信号復調部２５は、ＯＦＤＭフレーム（伝送フレーム）に含まれる制御信号のうち、伝送制御信号（ＴＭＣＣ信号）を構成するシンボルのキャリア復調を行う。また、制御信号復調部２５は、ＯＦＤＭフレーム（伝送フレーム）に含まれる制御信号のうち、ＡＣ信号を構成するシンボルのキャリア復調を行う。
【００４７】
抽出部２６は、データフレームから誤り訂正符号ブロックを抽出する。具体的には、抽出部２６は、データフレームの先頭位置に対するデータフレームの先頭に含まれる誤り訂正符号ブロックの先頭位置のオフセットを示すポインタに基づいて、データフレームの先頭に含まれる誤り訂正符号ブロックを抽出する。また、誤り訂正符号ブロックが固定長であるため、抽出部２６は、データフレームの先頭に含まれる誤り訂正符号ブロックの先頭位置を特定することができれば、他の誤り訂正符号ブロックも抽出することができる。
【００４８】
第１実施形態では、複数の階層化データは、Ａ階層データ、Ｂ階層データ、Ｃ階層データを含む。従って、受信装置２０は、Ａ階層データの誤り訂正符号ブロックを抽出する抽出部２６Ａと、Ｂ階層データの誤り訂正符号ブロックを抽出する抽出部２６Ｂと、Ｃ階層データの誤り訂正符号ブロックを抽出する抽出部２６Ｃとを備える。
【００４９】
誤り訂正部２７は、抽出部２６から出力される誤り訂正符号ブロックを構成するビット列の誤り訂正を行う。
【００５０】
第１実施形態では、複数の階層化データは、Ａ階層データ、Ｂ階層データ、Ｃ階層データを含む。従って、受信装置２０は、Ａ階層データの誤り訂正符号ブロックを構成するビット列の誤り訂正を行う誤り訂正部２７Ａと、Ｂ階層データの誤り訂正符号ブロックを構成するビット列の誤り訂正を行う誤り訂正部２７Ｂと、Ｃ階層データの誤り訂正符号ブロックを構成するビット列の誤り訂正を行う誤り訂正部２７Ｃとを備える。
【００５１】
図３においては、Ａ階層データ、Ｂ階層データ及びＣ階層データの全てを受信装置２０が受信する機能を有するケースを例示しているが、実施形態は、これに限定されるものではない。受信装置２０は、Ａ階層データ、Ｂ階層データ及びＣ階層データのいずれかを受信する機能のみを有していてもよい。
【００５２】
（フレーム構造）
以下において、第１実施形態に係るフレーム構造の一例について説明する。図４は、第１実施形態に係るフレーム構造の一例を示す図である。
【００５３】
図４に示すように、ＯＦＤＭフレーム（伝送フレーム）は、各階層のデータフレームを構成するシンボル及び制御信号（ＴＭＣＣ信号及びＡＣ信号）によって構成される。なお、ＯＦＤＭフレーム（伝送フレーム）は、上述したように、所定数のサブキャリア（周波数軸）及び所定数のシンボル数（時間軸）によって定義される。
【００５４】
各階層のデータフレームは、誤り訂正符号ブロック（ＦＥＣブロックとも呼ぶ）によって構成される。誤り訂正符号ブロックは、複数のデータフレームに跨がって配置されてもよい。誤り訂正符号ブロックは、固定長のビット列を有するが、誤り訂正符号ブロックのビット列長は、階層毎に異なっていてもよい。
【００５５】
データフレームのヘッダは、例えば、同期ビット（Ｓｙｎｃ）、ポインタ、リザーブビット、ＦＥＣパリティビットを含む。同期ビット（Ｓｙｎｃ）は、データフレームの先頭位置を特定するためのビットである。ポインタは、データフレームの先頭位置に対するデータフレームの先頭に含まれる誤り訂正符号ブロックの先頭位置のオフセット（ビット数）を示す。リザーブビットは、将来の拡張のために確保されたビット列である。ＦＥＣパリティビットは、データフレームのヘッダの誤り訂正を行うためのビットである。
【００５６】
（受信方法）
以下において、第１実施形態に係る受信方法の一例について説明する。図５は、第１実施形態に係る受信方法の一例を示す図である。
【００５７】
図５において、４種類の入力信号（ストリーム）が存在するケースについて例示する。４種類の入力信号は、ＴＳ１、ＴＳ２、ＴＬＶ１及びＴＬＶ２である。ＴＳ１は、Ａ階層に属しており、ＴＳ２、ＴＬＶ１及びＴＬＶ２は、Ｂ階層に属している。言い換えると、Ａ階層データは、ＴＳ１に属するパケットをペイロードに含む誤り訂正符号ブロックによって構成される。Ｂ階層データは、ＴＳ２、ＴＬＶ１及びＴＬＶ２に属するパケットをペイロードに含む誤り訂正符号ブロックによって構成される。
【００５８】
このようなケースにおいて、ＴＳ２を受信したい受信装置２０は、Ｂ階層データの中から、ＴＳ２に属するパケットをペイロードに含む誤り訂正符号ブロックのみを抽出する。
【００５９】
（誤り訂正符号ブロック）
以下において、第１実施形態に係る誤り訂正符号ブロックの一例について説明する。図６は、第１実施形態に係る誤り訂正符号ブロックの一例を示す図である。
【００６０】
図６に示すように、誤り訂正符号ブロックは、ヘッダ、ペイロード及びパリティによって構成される。誤り訂正符号ブロックのビット長は、例えば、６４８００である。
【００６１】
第１実施形態において、誤り訂正符号ブロックのペイロードには、複数のストリームのいずれかに属するパケットとして、ＴＳパケット（固定長のパケット）又はＴＬＶパケット（可変長のパケット）が含まれる。ここで、誤り訂正符号ブロックのペイロードにおいて、ＴＳパケット及びＴＬＶパケットが混在することはないことに留意すべきである。また、誤り訂正符号ブロックのペイロードにおいて、異なるストリームに属するパケットが混在することもないことに留意すべきである。
【００６２】
誤り訂正符号ブロックのヘッダには、パケットの種類を識別する情報（図６に示すＴＳ／ＴＬＶ識別子）及びパケットが属するストリームを識別する情報（図６に示すストリーム番号）が含まれる。すなわち、上述した誤り訂正符号化部１２は、パケットの種類を識別する情報及びパケットが属するストリームを識別する情報を誤り訂正符号ブロックのヘッダに含める。
【００６３】
ここで、ストリーム番号とそのストリームに属するパケットの種類を予め対応付けた情報が別途定義されていてもよい。このような場合には、別途定義された属性込みのストリーム番号（属性込みストリーム番号）のみを誤り訂正符号ブロックのヘッダに含めることによって、対応するパケットの種類を特定できるため、誤り訂正符号ブロックのヘッダがＴＳ／ＴＬＶ識別子及びストリーム番号を個別に含むケースと比べて、誤り訂正符号ブロックのヘッダのサイズを小さくすることができる。
【００６４】
（作用及び効果）
第１実施形態では、誤り訂正符号ブロックのヘッダには、パケットの種類を識別する情報（図６に示すＴＳ／ＴＬＶ識別子）及びパケットが属するストリームを識別する情報（図６に示すストリーム番号）が含まれる。従って、受信装置２０は、誤り訂正符号ブロックのヘッダを参照することによって、所望のストリームに属する所望のパケットを含む誤り訂正符号ブロックを抽出して、抽出された誤り訂正符号ブロックのみを復号すればよい。これによって、受信装置２０の処理負荷等が軽減される。
【００６５】
［第２実施形態］
以下において、第２実施形態について説明する。以下においては、第１実施形態に対する相違点について主として説明する。
【００６６】
具体的には、上述したように、誤り訂正符号ブロックのペイロードには、複数のストリームのいずれかに属するパケットが含まれる。すなわち、誤り訂正符号ブロックのペイロードにおいて、ＴＳパケット及びＴＬＶパケットが混在することはない。また、誤り訂正符号ブロックのペイロードにおいて、異なるストリームに属するパケットが混在することもない。
【００６７】
第２実施形態では、上述した伝送制御信号（ＴＭＣＣ信号）は、複数のストリームのそれぞれが属する階層を識別する情報を含む。すなわち、上述した制御信号生成部１４は、複数のストリームのそれぞれが属する階層を識別する情報を伝送制御信号（ＴＭＣＣ信号）に含める。
【００６８】
図７は、第２実施形態に係る伝送制御信号（ＴＭＣＣ信号）の一例を示す図である。図７に示すように、伝送制御信号は、ストリーム毎に３ビットの伝送階層ビットを含む。例えば、１ビット目のビットは、ストリームがＡ階層に属するか否か（すなわち、Ａ階層伝送の有無）を示すビットである。２ビット目のビットは、ストリームがＢ階層に属するか否か（すなわち、Ｂ階層伝送の有無）を示すビットである。３ビット目のビットは、ストリームがＣ階層に属するか否か（すなわち、Ｃ階層伝送の有無）を示すビットである。
【００６９】
このように、伝送制御信号は、ビットマップ形式で、複数のストリームのそれぞれが属する階層を識別する情報（伝送階層ビット）を含む。従って、１つのストリームが複数の階層に属する場合であっても、各ストリームが属する階層を適切に表現することができる。
【００７０】
（作用及び効果）
第２実施形態では、伝送制御信号（ＴＭＣＣ信号）は、複数のストリームのそれぞれが属する階層を識別する情報を含む。従って、受信装置２０は、伝送制御信号を参照することによって、所望のストリームが属する階層化データのみを復号すればよい。これによって、受信装置２０の処理負荷等が軽減される。
【００７１】
さらには、第１実施形態と同様に、パケットの種類を識別する情報及びパケットが属するストリームを識別する情報が誤り訂正符号ブロックのヘッダに含まれていれば、受信装置２０は、誤り訂正符号ブロックのヘッダを参照することによって、所望のストリームに属する所望のパケットを含む誤り訂正符号ブロックを抽出して、抽出された誤り訂正符号ブロックのみを復号すればよい。これによって、受信装置２０の処理負荷等がさらに軽減される。
【００７２】
［第３実施形態］
以下において、第３実施形態について説明する。以下においては、第１実施形態に対する相違点について主として説明する。
【００７３】
第３実施形態では、複数の誤り訂正符号ブロックは、論理フレームを構成する。誤り訂正符号ブロックのヘッダには、図８に示すように、論理フレームを構成する誤り訂正符号ブロックの最大数を識別する情報（最大ブロック数）及び論理フレームにおける当該誤り訂正符号ブロックの順序を識別する情報（ブロック番号）が含まれる。すなわち、上述した誤り訂正符号化部１２は、論理フレームを構成する誤り訂正符号ブロックの最大数を識別する情報及び論理フレームにおける当該誤り訂正符号ブロックの順序を識別する情報を誤り訂正符号ブロックのヘッダに含める。
【００７４】
（作用及び効果）
第３実施形態では、誤り訂正符号ブロックのヘッダは、論理フレームを構成する誤り訂正符号ブロックの最大数を識別する情報（最大ブロック数）及び論理フレームにおける当該誤り訂正符号ブロックの順序を識別する情報（ブロック番号）を含む。これによって、複数の誤り訂正符号ブロックによって論理フレームを構成することができる。
【００７５】
このように、複数の誤り訂正符号ブロックによって論理フレームを構成することによって、例えば、衛星放送で用いられるスーパーフレームと同様の機能を論理フレームに持たせることができる。例えば、論理フレームに含まれることができる誤り訂正符号ブロックの数を各放送事業者に適切に割り当てることができる。また、物理レイヤよりも上位のレイヤ（例えば、アプリケーションレイヤ）において、論理フレームを１つの単位として再送制御等を行うことができる。
【００７６】
［第４実施形態］
以下において、第４実施形態について説明する。以下においては、第１実施形態に対する相違点について主として説明する。
【００７７】
具体的には、上述したように、誤り訂正符号ブロックのペイロードには、複数のストリームのいずれかに属するパケットが含まれる。すなわち、誤り訂正符号ブロックのペイロードにおいて、ＴＳパケット及びＴＬＶパケットが混在することはない。また、誤り訂正符号ブロックのペイロードにおいて、異なるストリームに属するパケットが混在することもない。
【００７８】
ここで、ＴＳパケット及びＴＬＶパケットの先頭位置は、誤り訂正符号ブロックの先頭位置と一致しているとは限らない。従って、誤り訂正符号ブロックのヘッダには、誤り訂正符号ブロックにおいて最初に始まるパケットの先頭位置を示すポインタが含まれる。
【００７９】
第４実施形態では、パケットの先頭位置を示すポインタは、パケットの先頭位置が誤り訂正符号ブロックのペイロードに含まれていない場合に、パケットの先頭位置ではなくて、他の情報の伝達に用いられる。
【００８０】
以下においては、ＴＬＶパケット＃１又はＴＳパケット＃１（以下、ＴＬＶ／ＴＳ＃１）の先頭位置が誤り訂正符号ブロック＃１のペイロードに含まれていないケースについて説明する。このようなケースにおいて、誤り訂正符号ブロック＃１のヘッダに含まれるポインタが示すべき値が存在しないため、従来技術であれば、ポインタには、不定値（０ｘｆｆｆｆ）が設定されること留意すべきである。
【００８１】
（適用例１）
適用例１では、図９に示すように、ポインタは、ＴＬＶ／ＴＳ＃１の先頭位置が誤り訂正符号ブロック＃１のペイロードに含まれていない場合に、誤り訂正符号ブロック＃１のペイロードの次位置、すなわち、誤り訂正符号ブロック＃１のパリティ先頭位置を示す。これによって、受信装置２０は、ポインタを参照することによって、誤り訂正符号ブロック＃１のペイロードのビット長及びパリティのビット長を特定することができる。これによって、受信装置２０は、ポインタによって明示的に示されるペイロード／パリティ境界によって、伝送制御信号（ＴＭＣＣ信号）によって暗黙的に示されるペイロード／パリティ境界が正しいか否かを確認することができる。すなわち、受信装置２０は、ポインタを参照することによって、現在適用されている符号化率とペイロード／パリティ境界を、ポインタと伝送制御信号（ＴＭＣＣ信号）によって二重にチェックすることができる。
【００８２】
（適用例２）
適用例２では、図１０に示すように、ポインタは、ＴＬＶ／ＴＳ＃１の先頭位置が誤り訂正符号ブロック＃１のペイロードに含まれていない場合に、他の誤り訂正符号ブロック（図１０の例では誤り訂正符号ブロック＃２）に設けられるＴＬＶ／ＴＳ＃１の後尾位置次位を示す。なお、ＴＬＶ／ＴＳ＃１の後尾位置次位は、ＴＬＶ／ＴＳ＃１に続くＴＬＶ／ＴＳ＃２の先頭位置と同義である。これによって、受信装置２０は、ＴＬＶ／ＴＳ＃１に続くＴＬＶ／ＴＳ＃２の先頭位置が、復号対象の誤り訂正符号ブロック以降の誤り訂正符号ブロックに含まれる場合であっても、ＴＬＶ／ＴＳ＃２の先頭位置を事前に把握することができる。
【００８３】
なお、ポインタがカウントする位置は、誤り訂正符号ブロックからヘッダとパリティを除いたペイロード部分のみをカウントするものとする。また、次先頭位置（ＴＬＶ／ＴＳ＃２の先頭位置）がポインタの最大値を超えてしまう場合には、ポインタには不定値（０ｘｆｆｆｆ）を設定する。この場合、注目する誤り訂正符号ブロックが進んで、次先頭位置（ＴＬＶ／ＴＳ＃２の先頭位置）がポインタの最大値に納まるようになったとき、その値を符号化する。さらに、符号化が終わってみなければパケットの終わりも分からない（かつ、符号化が終わるまでパケット化を待っては居られない）という不定長パケットの場合や、（有効な）パケットではなくスタッフィングを行なっているような場合には、次のパケットがいつ来るか分からないのでポインタに不定値（０ｘｆｆｆｆ）を設定する。
【００８４】
（適用例３）
適用例３では、誤り訂正符号ブロックのヘッダには、パケットの先頭位置が誤り訂正符号ブロックのペイロードに含まれているか否かを示すフラグ（図１１に示すｐｏｉｎｔｅｒ  ｆｌａｇ）が含まれる。
【００８５】
図１１に示すように、ＴＬＶ／ＴＳ＃１の先頭位置が誤り訂正符号ブロック＃１のペイロードに含まれていない場合には、ポインタは無く、ポインタとしていた領域（ポインタ領域）は誤り訂正符号ブロック＃１のペイロードとして用いられる。これによって、誤り訂正符号ブロック＃１の伝送容量が増大する。
【００８６】
なお、受信装置２０は、パケットの先頭位置が誤り訂正符号ブロックのペイロードに含まれているか否かを示すフラグ（図１１に示すｐｏｉｎｔｅｒ  ｆｌａｇ）を参照することによって、ポインタ領域かペイロードかを特定することができる。
【００８７】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００８８】
実施形態では、ＭＩＭＯ（Ｍｕｌｔｉｐｌｅ  Ｉｎｐｕｔ  Ｍｕｌｔｉｐｌｅ  Ｏｕｔｐｕｔ）技術が用いられるシステムについて例示した。しかしながら、実施形態は、これに限定されるものではない。実施形態は、ＭＩＳＯ（Ｍｕｌｔｉｐｌｅ  Ｉｎｐｕｔ  Ｓｉｎｇｌｅ  Ｏｕｔｐｕｔ）技術又はＳＩＳＯ（Ｓｉｎｇｌｅ  Ｉｎｐｕｔ  Ｓｉｎｇｌｅ  Ｏｕｔｐｕｔ）技術が用いられるシステムに適用されてもよい。
【００８９】
実施形態では特に触れていないが、送信装置１０及び受信装置２０が行う各処理をコンピュータに実行させるプログラムが提供されてもよい。また、プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【００９０】
或いは、送信装置１０及び受信装置２０が行う各処理を実行するためのプログラムを記憶するメモリ及びメモリに記憶されたプログラムを実行するプロセッサによって構成されるチップが提供されてもよい。
【符号の説明】
【００９１】
１０…送信装置、１１…入力インタフェース、１２…誤り訂正符号化部、１３…フレーム化部、１４…制御信号生成部、１５…ＭＩＭＯ−ＯＦＤＭ変調部、２０…受信装置、２１…周波数変換部、２２…直交復調部、２３…ＭＩＭＯ−ＯＦＤＭ復調部、２４…キャリア復調部、２５…制御信号復調部、２６…抽出部、２７…誤り訂正部
【図１】
2015080029.tif 000003
【図２】
2015080029.tif 000004
【図３】
2015080029.tif 000005
【図４】
2015080029.tif 000006
【図５】
2015080029.tif 000007
【図６】
2015080029.tif 000008
【図７】
2015080029.tif 000009
【図８】
2015080029.tif 000010
【図９】
2015080029.tif 000011
【図１０】
2015080029.tif 000012
【図１１】
2015080029.tif 000013